(57)【要約】【課題】本発明は、リサイクル構造に用いる鉄筋に関し、この鉄筋を埋設したコンクリート体が老朽化し、その解体を低コストで容易にすると共に、安全性も高めることが課題である。【解決手段】鉄筋コンクリート造または鉄骨鉄筋コンクリート造に用いる鉄筋に、電気的に絶縁状態にされた電熱線５を一体化したリサイクル構造用鉄筋１とする。【選択図】    図１
2004324259.tif 000002
【特許請求の範囲】
【請求項１】
鉄筋コンクリート造または鉄骨鉄筋コンクリート造に用いる鉄筋に、電気的に絶縁状態にされた電熱線を一体化したこと、
を特徴とするリサイクル構造用鉄筋。
【請求項２】
少なくとも１本の電熱線を含んで、複数本の鋼線を螺旋状に撚って形成されること、
を特徴とするリサイクル構造用鋼線ロープ。
【請求項３】
請求項２に記載のリサイクル構造用鋼線ロープにおける外周面の螺旋形状に合わせた嵌合溝を、板状体に穿設した貫通孔の内周壁面に刻設して成ること、
を特徴とする請求項に記載のリサイクル構造用定着板。
【請求項４】
請求項１に記載のリサイクル構造用鉄筋，請求項２に記載のリサイクル構造用鋼線ロープまたは請求項３に記載のリサイクル構造用定着板を、鉄骨造，鉄筋コンクリート造，又は鉄骨鉄筋コンクリート造におけるコンクリート体に埋設してなること、
を特徴とするリサイクル構造。
【請求項５】
請求項１に記載のリサイクル構造用鉄筋，請求項２に記載のリサイクル構造用鋼線ロープまたは請求項３に記載のリサイクル構造用定着板を、コンクリート系材料でグラウトして埋設してなること、
を特徴とするリサイクル構造。
【発明の詳細な説明】
【０００１】
【発明の属する技術分野】
本発明は、リサイクル構造とそれに用いる鉄筋，鋼線ロープ及び定着板に係り、詳しくは、鉄骨造の一部，鉄筋コンクリート造，又は鉄骨鉄筋コンクリート造におけるコンクリート体、若しくは、コンクリート系材料でグラウトしたものに埋設され、且つ、これらが老朽化し、その解体時には容易にコンクリート若しくはグラウト材を剥離させることができる、リサイクル構造とそれに用いる鉄筋，鋼線ロープ及び定着板に関する。
【０００２】
【従来の技術】
コンクリート構造物若しくはコンクリート系グラウト構造物は、引張力に対抗するために主筋または補強筋等の鉄筋を埋設している。コンクリートと鉄筋との付着強度は強固にされる。これらのコンクリート構造物が老朽化すると、解体しなければならないが、それには、従来、ジャイアントブレーカーやピックハンマーによる破砕力で、騒音や粉塵を伴って解体施工される。しかし、コンクリートと鉄筋とを分離させるのは、付着強度が大きいので困難である。そこで、近年では、前記鉄筋に大電流を流して加熱し、周囲の水分を蒸発させ、周囲のコンクリートにひび割れを発生させることで、コンクリート解体を容易にする方法が知られている（例えば、特許文献１参照。）。
【０００３】
【特許文献１】
特開２００１−２０５１３１号公報（第２頁乃至第３頁、第２図）
【０００４】
【発明が解決しようとする課題】
しかしながら、前記コンクリート解体方法では、鉄筋が太く、且つ、電気抵抗が小さいので、大電流を流す必要があり、雨天時には漏電による危険が伴い、また、鉄筋の発熱効率が悪いので不経済である。本発明に係るリサイクル構造とそれに用いる鉄筋，鋼線ロープ及び定着板はこのような課題を解決するために提案されたものである。
【０００５】
【課題を解決するための手段】
上記課題を解決するために、本発明に係るリサイクル構造用鉄筋の要旨は、鉄筋コンクリート造または鉄骨鉄筋コンクリート造に用いる鉄筋に、電気的に絶縁状態にされた電熱線を一体化したことである。
【０００６】
また、リサイクル構造用鋼線ロープの要旨は、少なくとも１本の電熱線を含んで、複数本の鋼線を螺旋状に撚って形成されることである。
【０００７】
更に、リサイクル構造用定着板の要旨は、前記リサイクル構造用鋼線ロープにおける外周面の螺旋形状に合わせた嵌合溝を、板状体に穿設した貫通孔の内周壁面に刻設して成ることである。
【０００８】
リサイクル構造の要旨は、前記リサイクル構造用鉄筋，リサイクル構造用鋼線ロープまたはリサイクル構造用定着板を、鉄骨造，鉄筋コンクリート造，又は鉄骨鉄筋コンクリート造におけるコンクリート体に埋設してなることである。
また、前記リサイクル構造用鉄筋，リサイクル構造用鋼線ロープまたはリサイクル構造用定着板を、コンクリート系材料でグラウトして埋設してなることである。
【０００９】
本発明に係るリサイクル構造とそれに用いる鉄筋，鋼線ロープ及び定着板によれば、電熱線に安全な小電流を流してコンクリートにひび割れを生じさせて、短期間で容易にコンクリート解体を行うことができるようになる。
【００１０】
【発明の実施の形態】
次に、本発明に係るリサイクル構造とそれに用いる鉄筋，鋼線ロープ及び定着板について、図面を参照して説明する。
【００１１】
リサイクル構造用鉄筋１は、図１に示すように、鉄骨造の一部，鉄筋コンクリート造又は鉄骨鉄筋コンクリート造などのコンクリート構造物に埋設される主筋若しくは補強筋として使用される異形鉄筋２に、その長手方向に沿って外周部に凹溝３を設け、該凹溝３に絶縁層４で被覆した電熱線５を接着材で嵌装・固着させて、一体化させてなるものである。
【００１２】
前記電熱線５は、フレキシブルなステンレス製細管６内に配線される。当該電熱線５と細管６との間には、酸化マグネシウム（ＭｇＯ），アルミナ（Ａｌ２Ｏ３），ムライト（３Ａｌ２Ｏ３・２ＳｉＯ２），ステアタイト（ＭｇＯ・ＳｉＯ２），磁器（ＳｉＯ２・ＡｌＯ２）等のＳｉＯ２系の材料が蜜実に充填され絶縁層４が形成されて、ヒータ７となる。なお、場合によっては、電熱線５が絶縁層４で被覆されて、電気的に絶縁されていれば良いので、前記細管６を設けないでヒータ７を構成しても良い。
【００１３】
前記鉄筋１がコンクリート体に埋設されることで、解体時には、前記ヒータ７の電熱線５に小電流を通電し、例えば、約６００℃程度に加熱することで、この鉄筋１周囲の水分が蒸発してひび割れが生じ、解体が容易に行われるものである。また、電熱線５に通電しても、絶縁層４があるので、鉄筋１に通電されることがない。
【００１４】
前記リサイクル構造用鋼線ロープ８は、図２に示すように、少なくとも１本のニクロム線又はステンレス線からなる電熱線５を含んで、複数本の鋼線９を螺旋状に撚って形成される。なお、前記電熱線５と鋼線９との間には、絶縁層４が介在するものである。この鋼線ロープ８をコンクリート体に埋設する場合、前記鉄筋１のように端部でＵ型フックを形成できないので、それに代わる、定着板１０を形成する。
【００１５】
前記リサイクル用定着板１０は、図２に示すように、全体が円盤状若しくは図示してないが角形の鋼製板であり、前記撚り合わせたリサイクル構造用鋼線ロープ８における外周面の、螺旋形状に合わせた嵌合溝を、板状体に穿設した貫通孔の内周壁面に刻設して成るものである。
【００１６】
前記鋼線ロープ８によっても、コンクリート体の解体時に、電熱線５に通電することで、鋼線ロープ８の周囲のコンクリートにひび割れが生じて、容易に解体できるものである。
【００１７】
前記電熱線として、鉄筋１，前記鋼線ロープ８または前記定着板１０を、鉄骨造，鉄筋コンクリート造，又は鉄骨鉄筋コンクリート造におけるコンクリート体に埋設することで、コンクリートの再利用及び鉄骨の再利用が容易、且つ、安全が確保され、リユースに適したリサイクル構造となる。
【００１８】
また、図３に示すように、電熱線として前記鉄筋１，前記鋼線ロープ８または前記定着板１０を、例えば、二重鋼管１１ａ，１１ｂの間に配設して、コンクリート系材料でグラウトして埋設することで、上記と同様なリサイクル構造が得られる。この場合にも、解体が容易で安全性の高いリサイクル構造となる。
【００１９】
【発明の効果】
上記説明したように、本発明に係るリサイクル構造用鉄筋，鋼線ロープは、鉄筋コンクリート造または鉄骨鉄筋コンクリート造に用いる鉄筋に、電気的に絶縁状態にされた電熱線を一体化したこと、また、少なくとも１本の電熱線を含んで、複数本の鋼線を螺旋状に撚って形成される鋼線ロープなので、コンクリート解体が容易となり、低コストで解体できると共に、小電流で熱効率が良く、更に、安全性が向上すると言う優れた効果を奏するものである。
【００２０】
本発明に係るリサイクル構造用定着板は、リサイクル構造用鋼線ロープにおける外周面の螺旋形状に合わせた嵌合溝を、板状体に穿設した貫通孔の内周壁面に刻設して成るので、鋼線ロープのフックとなり、上記本発明の鋼線ロープをコンクリート体に埋設することができる。
【００２１】
前記本発明のリサイクル構造用鉄筋，リサイクル構造用鋼線ロープまたはリサイクル構造用定着板を、鉄骨造，鉄筋コンクリート造，又は鉄骨鉄筋コンクリート造におけるコンクリート体に埋設することで、解体が容易なリユースに優れたリサイクル構造となる。
また、同様に、本発明の前記リサイクル構造用の鉄筋，鋼線ロープまたは定着板を、コンクリート系材料でグラウトして埋設して使用することで、リユースに適したリサイクル構造となる。
【図面の簡単な説明】
【図１】本発明に係るリサイクル構造用鉄筋１の一部斜視図である。
【図２】同本発明に係るリサイクル構造用鋼線ロープ８の斜視図である。
【図３】同本発明に係るリサイクル構造の一部斜視図である。
【符号の説明】
１          リサイクル構造用鉄筋、  ２          異形鉄筋、
３          凹溝、                  ４          絶縁層、
５          電熱線、                ６          細管、
７          ヒータ、                ８          鋼線ロープ、
９          鋼線、                  １０        定着板、
１１ａ，１１ｂ  二重鋼管。
【図１】
2004324259.tif 000003
【図２】
2004324259.tif 000004
【図３】
2004324259.tif 000005